(57)【要約】【課題】ランプの取り付けや取り外し作業における安全性並びに作業性の向上を図ることができるとともに、ソケットの種別に拘わらず適用できる口金を提供する。【解決手段】口金１ａは、ランプ本体５の端部に固定される口金ベース部２３と、一対の端子２０ａ、２０ｂを有する口金先端部２４と、一対の端子２０ａ、２０ｂを覆うカバー部材２２とを有している。カバー部材２２は付勢部材で一対の端子２０ａ、２０ｂを覆うように付勢されている。カバー部材２２を押し下げて一対の端子２０ａ、２０ｂを露出させた状態で作業者が一対の端子２０ａ、２０ｂに触れても電気は流れない。スイッチ操作部材２９を所定の位置に回転させるとスイッチがＯＮとなり、ＯＮ状態が維持される。口金１ａをソケットから外すと、バネ部材の付勢力でスイッチ操作部材２９が回転してスイッチＯＦＦとなる。【選択図】図５
2016134225.tif 000002
【特許請求の範囲】
【請求項１】
棒状のランプ本体の端部に設けられ、灯器具のソケットに装着される給電用の一対の端子を備えた口金であって、
一端側が前記ランプ本体の端部に取り付けられ、他端側から前記一対の端子が突出するハウジングと、
前記ハウジングの前記他端側に設けられ、前記突出する一対の端子を覆うカバー部材と、
前記カバー部材を前記突出方向に付勢する付勢部材と、
前記一対の端子と前記ランプ本体との間の導通を切り替えるスイッチと、
を備え、
前記カバー部材は、前記付勢部材の付勢力により前記突出する一対の端子が露出するように構成され、
前記カバー部材が所定の位置になったときに前記スイッチが導通の状態に切り替わる口金。
【請求項２】
請求項１に記載の口金において、
前記ソケットから外したとき、前記カバー部材は前記付勢部材の付勢力により前記一対の端子を覆うように移動し、該カバー部材の移動に連動して前記スイッチが非導通の状態に切り替わる口金。
【請求項３】
棒状のランプ本体の端部に設けられ、灯器具のソケットに装着される給電用の一対の端子を備えた口金であって、
一端側が前記ランプ本体の端部に取り付けられ、他端側から前記一対の端子が突出する筒状のハウジングと、
前記ハウジングの前記他端側に設けられ、前記突出する一対の端子を覆うカバー部材と、
前記カバー部材を前記突出方向に付勢する付勢部材と、
前記一対の端子と前記ランプ本体との間の導通を切り替えるスイッチと、
前記スイッチを動作させるスイッチ操作部材と、
を備え、
前記カバー部材は、前記付勢部材の付勢力により前記突出する一対の端子が露出するように構成されている口金。
【請求項４】
請求項３に記載の口金において、
前記カバー部材が所定位置になったときに前記スイッチ操作部材を前記スイッチが導通の状態になる位置に維持可能となる口金。
【請求項５】
請求項３又は４に記載の口金において、
前記ソケットから外したとき、前記カバー部材は前記付勢部材の付勢力により前記一対の端子を覆うように移動し、該カバー部材の移動に連動して前記スイッチが非導通の状態に切り替わる口金。
【請求項６】
請求項３〜５のいずれか１つに記載の口金において、
前記スイッチは、所定以上の外力が作用しない状態では導通又は非導通の状態に維持される口金。
【請求項７】
請求項３〜６のいずれか１つに記載の口金において、
前記ハウジングが、前記ランプ本体の端部に取り付けられる口金ベース部と、前記カバー部材を支持する口金先端部とを有し、前記口金ベース部と前記口金先端部とは相対的に周方向に回転可能である口金。
【請求項８】
請求項７に記載の口金において、
前記口金ベース部と前記口金先端部とのいずれか一方には、互いに向かい合った状態で押し込んだときに弾性変形によって両者を結合する爪部材が設けられている口金。
【請求項９】
請求項７又は８に記載の口金において、
前記周方向の回転を許容するとともに、所定の位置でロックする回転ストッパ部材を有している口金。
【請求項１０】
請求項７〜９のいずれか１つに記載の口金において、
前記口金ベース部と前記口金先端部とに、前記周方向の回転位置を所定の角度に設定するためのマークが設けられている口金。
【請求項１１】
棒状のランプ本体と、
前記ランプ本体内に配置された半導体発光素子と、
前記ランプ本体の両端部に設けられた、請求項１〜１０のいずれか１つに記載の口金と、
を有する直管形ＬＥＤランプ。
【請求項１２】
請求項１１に記載の直管形ＬＥＤランプと、該直管形ＬＥＤランプを装着する灯器具とを備えた照明装置。
【発明の詳細な説明】
【技術分野】
【０００１】
本発明は、口金、直管形ＬＥＤランプ及び照明装置に関する。
【背景技術】
【０００２】
近年、光源にＬＥＤ（Light Emitting Diode）を用いたＬＥＤランプが普及している。
ＬＥＤランプにおいては、従来の照明器具と比べて消費電力や二酸化炭素の排出量を大幅に低減できるとともに、製品寿命も大幅に拡大できる利点がある。このため、従来の蛍光灯に代替する照明器具として直管形ＬＥＤランプが注目されている。
【０００３】
両側給電方式である既存の蛍光灯器具を、安定器についての工事をすることなくそのまま用いるタイプでは、蛍光灯器具への直管形ＬＥＤランプの取り付け時、あるいは蛍光灯器具からの取り外し時に、作業者が電流が流れている口金の端子に手で触れる可能性を否めない。
この問題に対処すべく、特許文献１には、口金の外面に付勢力で突出する操作体を備え、口金の端子がソケットに挿入されるときのソケットとの当接圧で操作体が所定位置まで押し込まれたときに導通させるスイッチを内蔵した直管形ＬＥＤランプが提案されている。
口金の端子がソケットに完全に挿入されない状態、すなわち操作体が所定位置まで押し込まれない状態では導通せず、これにより取り付け時の安全性を確保するものである。
取り外し時には、口金の端子がソケットから外されると同時に操作体が付勢力で突出し、スイッチがオフとなる。
操作体は、直管形ＬＥＤランプの両側の口金の端子をソケットの溝に同時に挿入して回転させるタイプの蛍光灯器具にも対応できるように、端子よりも外周寄りの一箇所に配置されている。
【発明の概要】
【発明が解決しようとする課題】
【０００４】
この種の蛍光灯器具のソケット形状としては種々のものがある。一般的には口金の端子を差し込む面が平面のものが多いが、図１７に示すように、口金の端子を差し込む面が部分的にランプ長手方向に突出した凸型タイプのものもある。
図１７（ａ）において、符号１５０ａは灯器具１５０の両側に固定されたソケット本体を、１５１はソケット本体１５０ａにランプ長手方向に付勢力下で変位可能に設けられた支持部を、１５２は支持部１５１からランプ長手方向に突出した端子挿入部を示している。
このような凸型ソケットに特許文献１に記載の口金を有する直管形ＬＥＤランプを取り付けようとした場合、図１７（ｂ）、（ｃ）に示すように、口金１５３の端子を端子挿入部１５２に挿入した状態で、ソケット本体１５０ａと口金１５３との間に隙間ｇが存在する。
操作体１５４は端子挿入部１５２と当接せずに隙間ｇに位置するため突出したままとなり、端子挿入後もスイッチはＯＮとならない。
【０００５】
隙間ｇが存在する場合でもスイッチがＯＮするように操作体１０５を長くした場合、端子の長さに比べて操作体１５４が長くなり過ぎ、外観の見劣りによる商品価値の低下を来たすとともに、端子挿入に係る作業性の低下を来たす懸念もある。
適用対象を凸型タイプのソケット以外に限定した場合、商品としての使用範囲が狭くなる。
【０００６】
本発明は、このような現状に鑑みてなされたもので、ランプの取り付けや取り外し作業における安全性並びに作業性の向上を図ることができるとともに、ソケットの種別に拘わらず適用できる口金の提供を、その主な目的とする。
【課題を解決するための手段】
【０００７】
上記目的を達成するために、本発明は、棒状のランプ本体の端部に設けられ、灯器具のソケットに装着される給電用の一対の端子を備えた口金であって、
一端側が前記ランプ本体の端部に取り付けられ、他端側から前記一対の端子が突出するハウジングと、
前記ハウジングの前記他端側に設けられ、前記突出する一対の端子を覆うカバー部材と、
前記カバー部材を前記突出方向に付勢する付勢部材と、
前記一対の端子と前記ランプ本体との間の導通を切り替えるスイッチと、
を備え、
前記カバー部材は、前記付勢部材の付勢力により前記突出する一対の端子が露出するように構成され、
前記カバー部材が所定の位置になったときに前記スイッチが導通の状態に切り替わる。
【発明の効果】
【０００８】
本発明によれば、ランプの取り付けや取り外し作業における安全性並びに作業性の向上を図ることができるとともに、ソケットの種別に拘わらず適用できる。
【図面の簡単な説明】
【０００９】
【図１】本発明の第１の実施形態に係る照明装置の分解斜視図である。
【図２】ランプ本体の分解斜視図である。
【図３】ランプ本体を図２とは反対側から見た斜視図である。
【図４】直管形ＬＥＤランプの一方側の口金を示す図で、（ａ）は斜視図、（ｂ）は（ａ）のＢ−Ｂ線での断面図である。
【図５】直管形ＬＥＤランプの一方側の口金を示す図で、（ａ）はカバー部材を押し込んだ状態の斜視図、（ｂ）は図４（ｂ）と同様の断面図である。
【図６】直管形ＬＥＤランプの一方側の口金を示す図で、（ａ）一体に結合する前の斜視図、（ｂ）は口金先端部の分解斜視図、（ｃ）はスイッチホルダの分解斜視図である。
【図７】直管形ＬＥＤランプの一方側の口金を示す図で、（ａ）は全体斜視図、（ｂ）はその縦断面図である。
【図８】スイッチ構成を示す図で、（ａ）はＯＦＦ位置での斜視図、（ｂ）はＯＦＦ位置における図７（ｂ）のＣ−Ｃ面での断面図、（ｃ）ＯＮ位置での斜視図、（ｄ）は（ｂ）と同様の断面図である。
【図９】直管形ＬＥＤランプの一方側の口金をソケットに装着した状態を示す図で、（ａ）はあ斜視図、（ｂ）は側面図である。
【図１０】スイッチ構成の断面図で、（ａ）はＯＦＦ位置での断面図、（ｂ）はＯＮ位置での断面図である。
【図１１】直管形ＬＥＤランプの一方側の口金における１つの係合部を示す図で、（ａ）はソケットに装着された状態でスイッチＯＮの状態を示す斜視図、（ｂ）はソケットから取り外した状態でスイッチＯＮの状態を示す斜視図、（ｃ）はスイッチＯＦＦの状態を示す斜視図である。
【図１２】直管形ＬＥＤランプの一方側の口金における他の係合部を示す図で、（ａ）はソケットに装着された状態でスイッチＯＮの状態を示す斜視図、（ｂ）はソケットから取り外した状態でスイッチＯＮの状態を示す斜視図、（ｃ）はスイッチＯＦＦの状態を示す斜視図である。
【図１３】直管形ＬＥＤランプの一方側の口金を示す図で、（ａ）は口金ベース部と口金先端部との結合前の斜視図、（ｂ）は口金の概要縦断面図である。
【図１４】ＬＥＤの照射面位置の変更構成を示す図で、（ａ）は口金の正面図、（ｂ）は回転ストッパ部材の操作片を引き下げた状態の正面図、（ｃ）は口金先端部を回転させる方向を示す正面図、（ｄ）は回転ストッパ部材による回転不可状態を示す要部斜視図、（ｅ）は回転可能状態を示す要部斜視図である。
【図１５】口金先端部の回転範囲を示す図で、（ａ）は０°位置での斜視図、（ｂ）は−９０°回転した状態の斜視図、（ｃ）は＋９０°回転した状態の斜視図、（ｄ）は９０°以上回転することができない構成を示す要部斜視図である。
【図１６】第２の実施形態におけるスイッチ構成を示す図で、（ａ）はカバー部材が突出しているスイッチＯＦＦ状態での模式的断面図、（ｂ）はスイッチＯＮ状態での模式的断面図である。
【図１７】従来の口金構成では使用できないことを説明するための図で、（ａ）は凸型ソケットを示す斜視図、（ｂ）は従来の口金をソケットに装着した状態の斜視図、（ｃ）はその側面図である。
【発明を実施するための形態】
【００１０】
以下、本発明の実施形態を図を参照して説明する。
図１乃至図１５に第１の実施形態を示す。
図１は、照明装置２００の外観を示す分解斜視図である。照明装置２００は、直管形ＬＥＤランプ１００と、直管形ＬＥＤランプ１００を装着する照明器具（以下、「灯器具」ともいう）１５０とを備えている。
直管形ＬＥＤランプ１００は、細長い棒状のランプ本体５と、ランプ本体５の両端部に設けられた口金１ａ、１ｂとを備えている。
灯器具１５０は、蛍光灯を点灯させるための既存の器具と同じものであり、ソケット１５０ａ、１５０ｂの穴位置に合わせて直管形ＬＥＤランプ１００の口金１ａ、１ｂに備えられた給電用の端子を差し込んで装着する構成を有している。
ソケットへの端子挿入後、口金１ａ、１ｂに内蔵のスイッチを作業者がＯＮ（オン；導通）状態にすると、ソケットから給電される商業用電流が端子を介してランプ本体５内のＬＥＤに流れ、ランプ本体５が点灯する。
【００１１】
図２に示すように、ランプ本体５は、断面が半円形の筒状の筐体２と、透光性のカバー３とから構成されている。
筐体２は、放熱効率を高めるために熱伝導率の大きい金属材料で形成されており、筐体２とカバー３との一体構成の外形は円筒形状となる。
筐体２の平坦部の外側であって、カバー３の内方には、カバー３に対向して、実装基板としてのＬＥＤ基板１１が粘着性を有するシート１０を介して固定されている。
ＬＥＤ基板１１は細長い長方形状のプリント基板であり、ＬＥＤ基板１１ａとＬＥＤ基板１１ｂとから構成されている。
ＬＥＤ基板１１ａ、１１ｂにはそれぞれ、ＥＬ効果を持つ半導体発光素子（光源）の一例としてのＬＥＤ１２ａ、１２ｂが筐体２の長手方向に所定の間隔で複数実装されている。
【００１２】
図３に示すように、筐体２の平坦部の内側には、筐体２の長手方向に延びる細長い長方形状の電源基板７が配置されており、その実装面には直流電源変換用の電子部品９が長手方向に間隔をおいて複数搭載されている。
電源基板７はクランプ１５で筐体２に固定されている。
電子部品９によって直流に整流された電流は、図示しないリード線を通してＬＥＤ基板１１ａ、１１ｂに供給される。
口金１ａ、１ｂに接続されたコネクタから延びるリード線６ａ、６ｂを介して電源基板７に電流が供給される。
口金１ａ、１ｂに内蔵される後述のスイッチは、ソケットに挿入される端子とリード線６ａ、６ｂとを電気的に接続する機能を有している。
【００１３】
図４（ａ）に示すように、口金１ａは、一端側がランプ本体５の端部に取り付けられ、他端側から一対の端子２０ａ、２０ｂが突出するハウジング２１と、ハウジング２１の他端側に一対の端子２０ａ、２０ｂの突出方向に移動可能に設けられた円筒状のカバー部材２２とを有している。
ハウジング２１は、ランプ本体５の端部に取り付けられる口金ベース部２３と、カバー部材２２を支持する口金先端部２４とから構成されている。
カバー部材２２の先端面（底面）２２ｃには、一対の端子２０ａ、２０ｂの挿通孔２２ａ、２２ｂが形成されている。
図４（ｂ）に示すように、口金先端部２４の内部には付勢部材としての２本の圧縮スプリング２５が設けられており、カバー部材２２は圧縮スプリング２５の付勢力で一対の端子２０ａ、２０ｂの突出方向に付勢されている。
これにより、カバー部材２２に外力が作用しない状態では、一対の端子２０ａ、２０ｂはその先端がカバー部材２２の底面２２ｃから出ない状態にカバー部材２２により覆われている。
【００１４】
図５（ａ）に示すように、カバー部材２２をランプ本体５の軸方向、すなわち口金先端部２４内に押し込むと、一対の端子２０ａ、２０ｂが露出する。
図６（ａ）に示すように、口金先端部２４とカバー部材２２との一体物を、ランプ本体５の端部にねじで固定された口金ベース部２３に押し込むことによりワンタッチ操作で結合できるようになっている。
具体的には、口金先端部２４側に設けられた爪部材２８ａが口金ベース部２３側の環状凸部に係合することにより、図４（ｂ）等に示すように、口金先端部２４と口金ベース部２３とが一体的に結合される。
本実施形態ではワンタッチ操作による結合構成を口金先端部２４側に設ける構成としたが、口金ベース部２３側に設けてもよい。
すなわち、爪部材２８ａは口金ベース部２３と口金先端部２４との両者を弾性変形によって結合する部材であり、口金ベース部２３と口金先端部２４とのいずれか一方に設けることができる。
【００１５】
口金先端部２４は、図６（ｂ）に示すように、一対の端子２０ａ、２０ｂを備え、カバー部材２２内に挿入されるスイッチホルダ２６と、口金ベース部２３に対する口金先端部２４の回転位置を規制する回転ストッパ部材２７と、爪部材２８ａを有する結合部材２８と、結合部材２８に嵌合する円環状のスイッチ操作部材２９とを有している。
カバー部材２２は２本の爪部材２２ａを有しており、爪部材２２ａがスイッチホルダ２６の縁２６ａに係合することにより、カバー部材２２がスイッチホルダ２６に一体化されるとともに、カバー部材２２の突出位置が規制される。
【００１６】
スイッチホルダ２６は、図６（ｃ）に示すように、一対の端子２０ａ、２０ｂを備えた筒部材３０を有している。
筒部材３０には、リード線６ａ、６ｂを備えたコネクタを保持するコネクタホルダ３２と、第１の端子としての一対の端子２０ａ、２０ｂに対して接離する第２端子を有し、スイッチ操作部材２９の回転操作によって同期回転する第２端子部材３１と、スイッチ操作部材２９をスイッチＯＦＦ位置に復帰させる付勢力を与えるトーションスプリング３３とが収容されている。
図７（ａ）は、口金１ａの全体を示し、図７（ｂ）はその縦断面を示している。
【００１７】
図８（ａ）、（ｂ）はスイッチＯＦＦの状態を、図８（ｃ）、（ｄ）はスイッチＯＮの状態を示している。
図８（ａ）に示すように、スイッチをオン・オフさせるスイッチ操作部材２９には端子２０ａ、２０ｂの突出方向に延びる操作片２９ａ、２９ｂが一体に形成されており、スイッチ操作部材２９を回転させると操作片２９ａ、２９ｂを介して第２端子部材３１が回転する。
図８（ｂ）に示すように、第２端子部材３１はリード線６ａに接続された第２端子３１ａ、３１ｂを有している。スイッチ操作部材２９がＯＦＦ位置に設定されているときは、端子２０ａに接続された接触片２０ａ−１と第２端子３１ａ、端子２０ｂに接続された接触片２０ｂ−１と第２端子３１ｂとはそれぞれ離間している。
図８（ｃ）、（ｄ）に示すように、スイッチ操作部材２９をスイッチＯＮ（オン）位置に回すと、端子２０ａに接続された接触片２０ａ−１と第２端子３１ａ、端子２０ｂに接続された接触片２０ｂ−１と第２端子３１ｂとがそれぞれ接触し、一対の端子２０ａ、２０ｂとリード線６ａとが電気的に接続され、導通する。
【００１８】
図８（ｃ）、（ｄ）は図７（ｂ）のＣ−Ｃ面での断面である。
スイッチ操作部材２９と第２端子部材３１とにより本実施形態におけるスイッチが構成されている。
【００１９】
カバー部材２２の外径等、口金１ａの寸法はＪＩＳ規格の蛍光灯規格に対応した寸法となっている。
すなわち、口金先端部２４の外径は２５．７８ｍｍ以下であり、長さは８．７１ｍｍ以上である。従ってＪＩＳ規格のφ２６の蛍光灯規格に対応している。
図８（ｂ）に示すように、スイッチＯＦＦ時の第１の端子２０ａ、２０ｂと第２端子３１ａ、３１ｂとの最短空間距離ｗは３ｍｍ以上に設定されており、スイッチとしての規格も満たしている。
【００２０】
カバー部材２２は円筒形状でその先端面２２ｃは平面であるため、図９に示すように、端子挿入部１５２が突出した凸型ソケットに対しても適合する。
端子挿入部１５２の端子挿入孔に端子２０ａ、２０ｂの位置を合わせて押し込むと、カバー部材２２は突出方向と逆向きにランプ本体５の軸方向内方に移動し、相対的に端子２０ａ、２０ｂのみが端子挿入部１５２の端子挿入孔に進入する。
カバー部材２２の先端面２２ｃは平面であるため、特許文献１の操作体の如く部分的に突出した構成とは異なり、先端面２２ｃのうちのどこかがソケット側に接触することとなり、接触すると押圧によるカバー部材２２の退避移動と端子２０ａ、２０ｂの相対的な突出動作が得られる。
これにより、ソケットの種別に拘わらず使用可能となる。
【００２１】
カバー部材２２の先端面２２ｃの形状、すなわち装着時にソケット側に当接する面は平面に限定されない。
ソケット側がどのような形状であっても装着する際にソケット側のどこかに接触し、接触後は押し込み操作に伴ってカバー部材２２を退避移動させることが可能な形状であればよい。
【００２２】
カバー部材２２が一対の端子２０ａ、２０ｂを覆う状態に突出しているときは、スイッチ操作部材２９はトーションスプリング３３の付勢力により強制的にＯＦＦ（オフ；非導通）位置に設定されるようになっている。
作業者がカバー部材２２を押し下げて端子２０ａ、２０ｂを露出させ、端子２０ａ、２０ｂに触れてもそれだけではスイッチがＯＮしていないため電流は流れない。
スイッチ操作部材２９を回転させてスイッチＯＮ位置に設定して初めて電気が流れる状態となるため、カバー部材２２は、作業者が電気が流れている部材に接触することを防止する２重の安全構成の第１段階をなす部材ともいえる。
【００２３】
本実施形態では、スイッチＯＦＦの状態でカバー部材２２が端子２０ａ、２０ｂの全体を覆う構成としたが、ソケット側の端子挿入孔との位置合わせを容易にするために、端子２０ａ、２０ｂの一部が突出した状態に覆うようにしてもよい。
カバー部材２２が端子２０ａ、２０ｂの全体を覆う構成において、カバー部材２２の側面に端子位置を表示するマークを形成して、装着作業の容易化を図ってもよい。
【００２４】
図１０乃至図１２に基づいて、カバー部材２２の移動に連動したスイッチ構成を説明する。
図１０（ａ）はスイッチＯＦＦの状態を示し、矢印はトーションスプリング３３の付勢力の作用方向を示している。このとき、カバー部材２２は突出して一対の端子２０ａ、２０ｂを覆っている。
図１０（ｂ）はスイッチＯＮの状態を示し、矢印はスイッチ操作部材２９の回転操作力の作用方向を示している。
スイッチ操作部材２９をトーションスプリング３３の付勢力に逆らって回転させると、トーションスプリング３３の爪部３３ａがカバー部材２２に設けられた突起２２ｄを乗り越えて係合する。
同時に第２端子部材３１に形成された突起３１ｃがカバー部材２２に設けられた突起２２ｅを乗り越えて係合する。
【００２５】
図１１（ａ）は、スイッチＯＮの状態、すなわちソケットへの装着状態を示している。このときはトーションスプリング３３の爪部３３ａがカバー部材２２の突起２２ｄに係合し、図１２（ａ）に示すように、第２端子部材３１の突起３１ｃがカバー部材２２の突起２２ｅに係合している。
これにより、口金１ａがソケットから外されない限り、スイッチ操作部材２９をＯＮ位置に維持可能となる。
【００２６】
図１１（ｂ）、図１２（ｂ）に示すように、ソケットから口金１ａを外すと、その動作に伴ってカバー部材２２が圧縮スプリング２５の付勢力で突出する。
カバー部材２２の突出動作に同期して突起２２ｄが移動し、図１１（ｃ）に示すように、カバー部材２２が完全に突出すると、突起２２ｄとトーションスプリング３３の爪部３３ａとの係合が外れる。
同時に図１２（ｃ）に示すように、突起２２ｅと第２端子部材３１の突起３１ｃとの係合が外れる。
これに伴い、スイッチ操作部材２９はトーションスプリング３３の付勢力でスイッチＯＦＦの位置に自動的に回転する。
【００２７】
スイッチ操作部材２９は、カバー部材２２の位置とは無関係に回転操作可能である。しかしながら、スイッチ操作部材２９をスイッチＯＮの位置に設定するためには、トーションスプリング３３の付勢力に逆らい、且つ、トーションスプリング３３の爪部３３ａと第２端子部材３１の突起３１ｃとがそれぞれカバー部材２２の突起２２ｄ、２２ｅを乗り越えるための所定の外力（回転操作力）を加えなければならない。
所定の回転操作力が加えられない限りはスイッチ操作部材２９はＯＦＦ位置に維持される。
このため、直管形ＬＥＤランプ１００を灯器具１５０に装着後、振動等によりスイッチ操作部材２９がＯＮ位置に設定されることはない。
【００２８】
また、直管形ＬＥＤランプ１００を灯器具１５０に装着する際、作業者の手持ち力で不意にスイッチ操作部材２９がＯＮ位置に設定されることもない。
仮に作業者が装着する前にスイッチ操作部材２９を不意にＯＮ位置に回したとしても、カバー部材２２が突出している状態では係合によるＯＮ位置での維持がなされないため、手を離した瞬間にスイッチ操作部材２９はＯＦＦ位置に戻る。
カバー部材２２を押し下げる方向とスイッチ操作部材２９をＯＮ位置に設定する方向とが異なることとも相まって、直管形ＬＥＤランプ１００の装着作業中に作業者が電気が流れている部材に接触する条件が整うことは意図的に行わない限り生じない。
【００２９】
図１３乃至図１５に基づいて、ＬＥＤの照射面を任意の位置に設定できる構成について説明する。
図４（ｂ）に示すように圧縮スプリング２５の一端は回転ストッパ部材２７のバネ受部２７ａに嵌合している。このため、回転ストッパ部材２７は圧縮スプリング２５で口金ベース部２３側へ付勢されている。
図１３（ａ）に示すように、口金先端部２４とカバー部材２２との一体物を、ランプ本体５の端部に固定された口金ベース部２３に押し込むことにより、口金先端部２４側に設けられた爪部材２８ａが口金ベース部２３側の環状凸部に係合する。
これにより、口金先端部２４と口金ベース部２３とがワンタッチ操作で一体的に結合される。図１３（ｂ）は結合後の断面を示している。
【００３０】
図１３（ｂ）に示すように、口金先端部２４は口金ベース部２３に対して左右のいずれの周方向にも回転可能となっている。
図６（ｂ）に示すように、口金先端部２４の周方向の回転を許容する回転ストッパ部材２７は両側に操作片２７ｂを有しており、操作片２７ｂは結合部材２８のガイド溝２８ｂに嵌合し、口金先端部２４の外面に露出している。
回転ストッパ部材２７は、操作片２７ｂと逆方向に延びる二股の係合部２７ｃも有している。
図１４（ａ）は回転ストッパ部材２７の操作片２７ｂが結合部材２８のガイド溝２８ｂに収容されている状態を示している。この状態では図１４（ｄ）に示すように、回転ストッパ部材２７の係合部２７ｃが口金ベース部２３のリブ２３ａに係合しており、口金ベース部２３に対して口金先端部２４を回転させることはできない。
【００３１】
図１４（ｂ）に示すように、圧縮スプリング２５の付勢力に逆らって操作片２７ｂを介して回転ストッパ部材２７をカバー部材２２側へ押し下げると、図１４（ｅ）に示すようにリブ２３ａと係合部２７ｃとの係合が外れる。
図１４（ｃ）に示すように、回転ストッパ部材２７を押し下げた状態で口金先端部２４を所望の照射面位置に回し、操作片２７ｂを放す。回転ストッパ部材２７が圧縮スプリング２５の付勢力で元に戻ると係合部２７ｃが再びリブ２３ａに係合し、口金先端部２４は口金ベース部２３に対して回転をロックされる。
口金ベース部２３と、口金先端部２４のスイッチ操作部材２９とには、口金ベース部２３に対する口金先端部２４の回転位置を決めるためのマークＭ１、Ｍ２が形成されており、所定の角度で位置決めできるようになっている。
【００３２】
図１５（ａ）は口金ベース部２３に対し口金先端部２４が０°の基準位置に設定されている状態を示している。口金先端部２４の回転角度は左右方向にそれぞれ最大±９０°である。
図１５（ｂ）に示すように、口金先端部２４を右側に−９０°回転させると、図１５（ｄ）に示すように筒部材３０の突縁３０ａが口金ベース部２３のリブ２３ａに突き当たり、それ以上は回転できない。図１５（ｂ）に示す操作片２７ｂは、図１５（ａ）の操作片２７ｂと反対側に位置する他方の操作片である。
図１５（ａ）の位置を基準にして口金先端部２４を左側に＋９０°回転させると、図１５（ｃ）に示すように筒部材３０の突縁３０ａが口金ベース部２３のリブ２３ａに突き当たり、それ以上は回転できない。
【００３３】
本実施形態では３０°ステップの７段階に照射面の角度調整ができるようになっている。
一定角度以上には回転できない構成とすることにより、口金内のハーネスが必要以上に捩れて破断するのを防ぐ効果がある。
上述した口金１ａついての構成、操作及び動作は他方の口金１ｂにおいても同様である。
【００３４】
上記実施形態では、カバー部材２２を押し込んだだけでは導通せず、さらにスイッチ操作部材２９を回転させなければならない２重安全構成としたが、図１６に示すように、カバー部材２２が所定位置まで押し込まれたときにスイッチがＯＮする構成としてもよい（第２の実施形態）。
図１６（ａ）に示すように、カバー部材２２には第２端子３２ａ、３２ｂが一体に設けられている。カバー部材２２が所定位置まで押し込まれると、すなわちソケットに装着されると、図１６（ｂ）に示すように、第２端子３２ａ、３２ｂが一対の端子２０ａ、２０ｂとリード線６ａ間を電気的に接続する。
【００３５】
上記各実施形態では、ランプ本体５の両端部に取り付けられる口金１ａ、１ｂの構成を同じものとしたが、ランプ本体５の一端と他端とで構成が異なる口金としてもよい。
例えば、ランプ本体５の一端側の口金は端子が常時突出した装着しやすいものとし、他端側の口金を上記した安全性の高い口金としてもよい。
すなわち、本発明に係る直管形ＬＥＤランプは、ランプ本体５の少なくとも一端部に上記構成の口金を有していればよい。
【００３６】
以上、本発明の好ましい実施の形態について説明したが、本発明はかかる特定の実施形態に限定されるものではなく、上述の説明で特に限定しない限り、特許請求の範囲に記載された本発明の趣旨の範囲内において、種々の変形・変更が可能である。
本発明の実施の形態に記載された効果は、本発明から生じる最も好適な効果を例示したに過ぎず、本発明による効果は、本発明の実施の形態に記載されたものに限定されるものではない。
【符号の説明】
【００３７】
１ａ、１ｂ  口金
５  ランプ本体
１２ａ、１２ｂ  半導体発光素子としてのＬＥＤ
２０ａ、２０ｂ  一対の端子
２１  ハウジング
２２  カバー部材
２５  付勢部材としての圧縮スプリング
２７  回転ストッパ部材
２８ａ  爪部材
２９  スイッチ操作部材
１００  直管形ＬＥＤランプ
１５０  灯器具としての照明器具
１５１ａ、１５１ｂ  ソケット
２００  照明装置
Ｍ１、Ｍ２  マーク
【先行技術文献】
【特許文献】
【００３８】
【特許文献１】特許第４９７６５７９号公報
【図１】
2016134225.tif 000003
【図２】
2016134225.tif 000004
【図３】
2016134225.tif 000005
【図４】
2016134225.tif 000006
【図５】
2016134225.tif 000007
【図６】
2016134225.tif 000008
【図７】
2016134225.tif 000009
【図８】
2016134225.tif 000010
【図９】
2016134225.tif 000011
【図１０】
2016134225.tif 000012
【図１１】
2016134225.tif 000013
【図１２】
2016134225.tif 000014
【図１３】
2016134225.tif 000015
【図１４】
2016134225.tif 000016
【図１５】
2016134225.tif 000017
【図１６】
2016134225.tif 000018
【図１７】
2016134225.tif 000019